(57)【要約】【課題】利用者が前記連続範囲内で複数のサムネイル画像の配置順を変更する際、配置順を変更すべきサムネイル画像を希望する配置順に選択する操作のみで、複数のサムネイル画像の配置順を簡単に変更できる画像表示装置、画像形成装置、画像表示方法、コンピュータプログラム、及び記録媒体を提供する。【解決手段】表示部の表示画面への接触操作位置を検出する検出手段を備える画像表示装置おいて、前記検出手段による検出結果に基づき、サムネイル画像の選択を受け付け、受け付けた選択に基づき、配置順を変更すべきサムネイル画像の連続範囲を決定し、選択の順に基づき、該選択に係るサムネイル画像の前記連続範囲内の配置順を変更して、前記表示部に表示されているサムネイル画像の配置順を部分的に変更する。【選択図】図４
2011164923.tif 000002
【特許請求の範囲】
【請求項１】
取得した画像データに基づき複数のサムネイル画像を順に配置して表示する表示部を備え、前記複数のサムネイル画像の配置順を部分的に変更することが可能な画像表示装置において、
前記表示部の表示画面への接触操作位置を検出する検出手段と、
該検出手段による検出結果に基づき、サムネイル画像の選択を受け付ける選択受付手段と、
該選択受付手段が受け付けた選択に基づき、配置順を変更すべきサムネイル画像の連続範囲を決定する範囲決定手段と、
前記選択受付手段が受け付けた選択の順に基づき、該選択に係るサムネイル画像の配置順を変更する順序変更手段と
を備えることを特徴とする画像表示装置。
【請求項２】
前記範囲決定手段は、前記選択受付手段が受け付けた先の選択のサムネイル画像から後の選択のサムネイル画像までを、前記連続範囲として受け付けるように構成してあることを特徴とする請求項１に記載の画像表示装置。
【請求項３】
前記連続範囲のサムネイル画像を拡大して部分的に表示する拡大表示手段と、
前記検出手段による検出結果に基づき、前記拡大表示手段により拡大して表示された部分拡大画像に対応するサムネイル画像を生成する画像生成手段と、
該画像生成手段によって生成されたサムネイル画像を、前記所定のサムネイル画像に代えて表示する表示手段と
を備えることを特徴とする請求項１又は２に記載の画像表示装置。
【請求項４】
前記連続範囲の一部のサムネイル画像に対して行った配置順変更を、残余のサムネイル画像に対して反復して行う指示を受け付ける反復指示受付手段を備え、
該反復指示受付手段が前記指示を受け付けた場合、前記順序変更手段が前記配置順変更を残余のサムネイル画像に対して反復して行うように構成してあることを特徴とする請求項１から３の何れか一つに記載の画像表示装置。
【請求項５】
請求項１から請求項４の何れか一つに記載の画像表示装置と、
該画像表示装置によって前記表示部に表示された複数のサムネイル画像の配置順に従って、各サムネイル画像に対応する画像のシート上への形成を行う画像形成手段と
を備えることを特徴とする画像形成装置。
【請求項６】
取得した画像データに基づき複数のサムネイル画像を順に配置して表示する表示部と、該表示部の表示画面への接触操作位置を検出する検出手段とを備える画像表示装置で、前記複数のサムネイル画像が表示されている配置順を部分的に変更して表示する画像表示方法において、
前記検出手段による検出結果に基づき、サムネイル画像の選択を受け付ける選択受付ステップと、
該選択受付ステップで受け付けた選択に基づき、配置順を変更すべきサムネイル画像の連続範囲を決定させる範囲決定ステップと、
前記選択受付ステップで受け付けた選択の順に基づき、該選択に係るサムネイル画像の配置順を変更する順序変更ステップと
を含むことを特徴とする画像表示方法。
【請求項７】
前記範囲決定ステップは、前記選択受付ステップで受け付けた先の選択のサムネイル画像から後の選択のサムネイル画像までを、前記連続範囲として受け付けるように構成してあることを特徴とする請求項６に記載の画像表示方法。
【請求項８】
取得した画像データに基づき複数のサムネイル画像を順に配置して表示する表示部と、該表示部の表示画面への接触操作位置を検出する検出手段とを備える画像表示装置のコンピュータに、前記複数のサムネイル画像が表示されている配置順を部分的に変更して表示させるコンピュータプログラムにおいて、
コンピュータに、前記検出手段による検出結果に基づき、サムネイル画像の選択を受付させる選択受付ステップと、
コンピュータに、前記選択受付ステップで受け付けた選択に基づき、配置順を変更すべきサムネイル画像の連続範囲を決定させる範囲決定ステップと、
コンピュータに、前記選択受付ステップで受け付けた選択の順に基づき、該選択に係るサムネイル画像の配置順を変更させる順序変更ステップと
を実行させることを特徴とするコンピュータプログラム。
【請求項９】
コンピュータに、前記範囲決定ステップで、前記選択受付ステップで受け付けた先の選択のサムネイル画像から後の選択のサムネイル画像までを、前記連続範囲として受付させることを特徴とする請求項８に記載のコンピュータプログラム。
【請求項１０】
請求項８又は９に記載のコンピュータプログラムを記録してあることを特徴とするコンピュータでの読み取りが可能な記録媒体。
【発明の詳細な説明】
【技術分野】
【０００１】
本発明は、複数のサムネイル画像の配置順を部分的に変更することが可能な画像表示装置、画像形成装置、画像表示方法、コンピュータプログラム、及び記録媒体に関する。
【背景技術】
【０００２】
画像読取装置、外部記録装置及びネットワーク等を介して画像データを取得し、該画像データに基づく画像を縮小したサムネイル画像を生成して表示部に表示するプレビュー機能を有する画像形成装置が普及されている。
【０００３】
例えば、特許文献１では、取得が完了した画像ファイルのサムネイル画像を順次作成して表示し、一覧表示し、又は指定されたサムネイル画像に係る画像を一枚表示する画像蓄積表示装置が開示されている。
【先行技術文献】
【特許文献】
【０００４】
【特許文献１】特開２００４−２８２４３５号公報
【発明の概要】
【発明が解決しようとする課題】
【０００５】
また、多くの場合は前記サムネイル画像が表示される表示部に例えばタッチパネルを設け、前記表示部の画面に接触する利用者の指先の動作（例えば、ドラッグアンドドロップ）を検知することにより、例えば一覧表示されたサムネイル画像の位置変更、拡大、縮小、回転等の処理を行い、プレビュー画像を変更することが可能に構成されている。
【０００６】
しかしながら、サムネイル画像の位置を変更する処理においては、多くのサムネイル画像が一覧表示されている場合、非常に時間と手間がかかるという問題がある。例えば、多くのサムネイル画像が所定の配置順にて一覧表示されている場合、その内の複数のサムネイル画像に対して所定のサムネイル画像の前後に挿入する位置変更を繰り返して行う際には、その度に前記所定のサムネイル画像の前後のサムネイル画像の位置を繰り下げる、又は繰り上げる処理を行う必要があり、時間と手間がかかる。このような問題は、特許文献１の画像蓄積表示装置では解決することができない。
【０００７】
本発明は、斯かる事情に鑑みてされたものであり、その目的とするところは、表示部の表示画面への接触操作位置を検出する検出手段を備える画像表示装置おいて、前記検出手段による検出結果に基づき、サムネイル画像の選択を受け付け、受け付けた選択に基づき、配置順を変更すべきサムネイル画像の連続範囲を決定し、選択の順に基づき、該選択に係るサムネイル画像の前記連続範囲内の配置順を変更することにより、前記表示部に表示されているサムネイル画像の配置順を部分的に変更するのであり、利用者が前記連続範囲内で複数のサムネイル画像の配置順を変更する際、配置順を変更すべきサムネイル画像を希望する配置順に選択する操作のみで対象のサムネイル画像及びその配置順が決められ、複数のサムネイル画像の配置順を簡単に変更することができる画像表示装置、画像形成装置、画像表示方法、コンピュータプログラム、及び記録媒体を提供することにある。
【課題を解決するための手段】
【０００８】
本発明に係る画像表示装置は、取得した画像データに基づき複数のサムネイル画像を順に配置して表示する表示部を備え、前記複数のサムネイル画像の配置順を部分的に変更することが可能な画像表示装置において、前記表示部の表示画面への接触操作位置を検出する検出手段と、該検出手段による検出結果に基づき、サムネイル画像の選択を受け付ける選択受付手段と、該選択受付手段が受け付けた選択に基づき、配置順を変更すべきサムネイル画像の連続範囲を決定する範囲決定手段と、前記選択受付手段が受け付けた選択の順に基づき、該選択に係るサムネイル画像の配置順を変更する順序変更手段とを備えることを特徴とする。
【０００９】
本発明にあっては、利用者が前記表示部の表示画面への接触操作を行った場合、前記検出手段が当該接触操作位置を検出し、前記選択受付手段が該検出手段による検出結果に基づき、該接触操作位置に係るサムネイル画像の選択を受け付ける。このようにして前記選択受付手段が受け付けた選択に基づき、前記範囲決定手段は配置順を変更すべきサムネイル画像の連続範囲を決定する。また、前記順序変更手段は、前記選択受付手段がサムネイル画像の選択を受け付ける際の選択の順に基づき、該選択に係るサムネイル画像の前記連像範囲内での配置順を変更する。
【００１０】
本発明に係る画像表示装置は、前記範囲決定手段は、前記選択受付手段が受け付けた先の選択のサムネイル画像から後の選択のサムネイル画像までを、前記連続範囲として受け付けるように構成してあることを特徴とする。
【００１１】
本発明にあっては、利用者が前記表示部の表示画面への接触操作を行い、２つのサムネイルを選択した場合、前記範囲決定手段は、前記選択受付手段が受け付けた先の選択のサムネイル画像から後の選択のサムネイル画像までを、前記連続範囲として受け付ける。
【００１２】
本発明に係る画像表示装置は、前記連続範囲のサムネイル画像を拡大して部分的に表示する拡大表示手段と、前記検出手段による検出結果に基づき、前記拡大表示手段により拡大して表示された部分拡大画像に対応するサムネイル画像を生成する画像生成手段と、該画像生成手段によって生成されたサムネイル画像を、前記所定のサムネイル画像に代えて表示する表示手段とを備えることを特徴とする。
【００１３】
本発明にあっては、前記拡大表示手段は、例えば、前記選択受付手段が受け付けた前記連続範囲内の何れかのサムネイル画像を拡大して部分的に表示する。例えば、前記拡大表示手段により前記部分拡大画像が前記表示部に表示される間、前記表示部の表示画面に接触し続けていた利用者の指が該表示部の表示画面から離れた場合、前記画像生成手段は、前記部分拡大画像に対応するサムネイル画像を生成する。前記表示手段は、該画像生成手段によって生成されたサムネイル画像を、前記所定のサムネイル画像に代えて表示部に表示する。
【００１４】
本発明に係る画像表示装置は、前記連続範囲の一部のサムネイル画像に対して行った配置順変更を、残余のサムネイル画像に対して反復して行う指示を受け付ける反復指示受付手段を備え、該反復指示受付手段が前記指示を受け付けた場合、前記順序変更手段が前記配置順変更を残余のサムネイル画像に対して反復して行うように構成してあることを特徴とする。
【００１５】
本発明にあっては、反復指示受付手段は、前記連続範囲の一部のサムネイル画像に対して行ったものと同一の配置順変更を、残余のサムネイル画像に対しても反復して行う指示を受け付ける。該反復指示受付手段が前記指示を受け付けた場合、前記順序変更手段が前記配置順変更を残余のサムネイル画像に対して反復して行う。
【００１６】
本発明に係る画像形成装置は、前述の発明の何れか一つに記載の画像表示装置と、該画像表示装置によって前記表示部に表示された複数のサムネイル画像の配置順に従って、各サムネイル画像に対応する画像のシート上への形成を行う画像形成手段とを備えることを特徴とする。
【００１７】
本発明にあっては、例えば、前記画像表示装置の順序変更手段によって前記表示部に表示された複数のサムネイル画像の配置順が変更された場合、画像形成手段が、変更後のサムネイル画像の配置順に従って、各サムネイル画像に対応する画像のシート上への形成を行う。
【００１８】
本発明に係る画像表示方法は、取得した画像データに基づき複数のサムネイル画像を順に配置して表示する表示部と、該表示部の表示画面への接触操作位置を検出する検出手段とを備える画像表示装置で、前記複数のサムネイル画像が表示されている配置順を部分的に変更して表示する画像表示方法において、前記検出手段による検出結果に基づき、サムネイル画像の選択を受け付ける選択受付ステップと、該選択受付ステップで受け付けた選択に基づき、配置順を変更すべきサムネイル画像の連続範囲を決定させる範囲決定ステップと、前記選択受付ステップで受け付けた選択の順に基づき、該選択に係るサムネイル画像の配置順を変更する順序変更ステップとを含むことを特徴とする。
【００１９】
本発明に係るコンピュータプログラムは、取得した画像データに基づき複数のサムネイル画像を順に配置して表示する表示部と、該表示部の表示画面への接触操作位置を検出する検出手段とを備える画像表示装置のコンピュータに、前記複数のサムネイル画像が表示されている配置順を部分的に変更して表示させるコンピュータプログラムにおいて、コンピュータに、前記検出手段による検出結果に基づき、サムネイル画像の選択を受付させる選択受付ステップと、コンピュータに、前記選択受付ステップで受け付けた選択に基づき、配置順を変更すべきサムネイル画像の連続範囲を決定させる範囲決定ステップと、コンピュータに、前記選択受付ステップで受け付けた選択の順に基づき、該選択に係るサムネイル画像の配置順を変更させる順序変更ステップとを実行させることを特徴とする。
【００２０】
本発明にあっては、利用者が前記表示部の表示画面への接触操作を行った場合、当該接触操作位置が検出され、該検出の結果に基づき、前記接触操作位置に係るサムネイル画像の選択が受付される。このようにして受け付けた選択に基づき、配置順を変更すべきサムネイル画像の連続範囲が決定される。また、サムネイル画像の選択が受付される際の選択の順に基づき、該選択に係るサムネイル画像の前記連像範囲内での配置順が変更される。
【００２１】
本発明に係る画像表示方法は、前記範囲決定ステップは、前記選択受付ステップで受け付けた先の選択のサムネイル画像から後の選択のサムネイル画像までを、前記連続範囲として受け付けるように構成してあることを特徴とする。
【００２２】
本発明に係るコンピュータプログラムは、コンピュータに、前記範囲決定ステップで、前記選択受付ステップで受け付けた先の選択のサムネイル画像から後の選択のサムネイル画像までを、前記連続範囲として受付させることを特徴とする。
【００２３】
本発明にあっては、利用者が前記表示部の表示画面への接触操作を行い、２つのサムネイルを選択した場合、受付された先の選択のサムネイル画像から後の選択のサムネイル画像までを、前記連続範囲として受付される。
【００２４】
本発明に係る記録媒体は、前述の発明のコンピュータプログラムを記録してあることを特徴とする。
【００２５】
本発明にあっては、前記記録媒体に前述のコンピュータプログラムを記録する。コンピュータが前記記録媒体からコンピュータプログラムを読み出して、前述の画像表示装置、画像形成装置、及び画像表示方法がコンピュータにより実現される。
【発明の効果】
【００２６】
本発明によれば、配置順を変更すべきサムネイル画像の連続範囲を決定し、選択の順に基づき、該選択に係るサムネイル画像の前記連続範囲内の配置順を変更することにより、前記表示部に表示されている複数のサムネイル画像の配置順を部分的に変更することが出来るので、前記連続範囲内で複数のサムネイル画像の配置順を変更する際、利用者は配置順を変更すべきサムネイル画像を希望する配置順に選択する操作を行うのみで、複数のサムネイル画像の配置順を簡単に変更できる。
【図面の簡単な説明】
【００２７】
【図１】本発明の実施の形態１のデジタル複合機の要部構成を示すブロック図である。
【図２】本発明の実施の形態１のデジタル複合機の画像処理装置及び操作装置の要部構成を示す機能ブロック図である。
【図３】本発明の実施の形態１のデジタル複合機のサムネイル表示制御部の要部構成を示す機能ブロック図である。
【図４】本発明の実施の形態１における選択受付部及び範囲決定部の作用を説明するための説明図である。
【図５】本発明の実施の形態１のデジタル複合機における他の構成例を説明する説明図である。
【図６】本発明の実施の形態１における順序決定部の作用を説明するための説明図である。
【図７】本発明の実施の形態１のデジタル複合機における他の構成例を説明する説明図である。
【図８】本発明の実施の形態１のデジタル複合機における他の構成例を説明する説明図である。
【図９】本発明の実施の形態１において、連続範囲のサムネイル画像の配置順を変更した結果を示す例示図である。
【図１０】本発明の実施の形態１のデジタル複合機における他の構成例を説明する説明図である。
【図１１】本発明の実施の形態１における拡大表示部の作用を説明するための説明図である。
【図１２】本発明の実施の形態１における、部分拡大画像の表示の処理を説明するフローチャートである。
【図１３】本発明の実施の形態１における、配置順変更の処理を説明するフローチャートである。
【図１４】本発明の実施の形態２のデジタル複合機のサムネイル表示制御部の要部構成を示す機能ブロック図である。
【図１５】本発明の実施の形態２における反復指示受付部の作用を説明するための説明図である。
【図１６】本発明の実施の形態２における、配置順変更の処理を説明するフローチャートである。
【図１７】本発明の実施の形態３のデジタル複合機の要部構成を示す機能ブロック図である。
【発明を実施するための形態】
【００２８】
以下、本発明に係る画像表示装置、画像形成装置、画像表示方法、コンピュータプログラム及び記録媒体を、コピー機能、印刷機能等を有するデジタル複合機に適用した場合を例として、図面を用いて具体的に説明する。
【００２９】
（実施の形態１）
本発明の実施の形態１に係るデジタル複合機においては、取得した画像データに基づくサムネイル画像を表示部に所定の配置順にて一覧表示し、タッチパネルを介して利用者の指示を受け付け、サムネイル画像の位置、すなわち該サムネイル画像が配置されている配置順を部分的に変更する処理が可能に構成されている。
【００３０】
図１は本発明の実施の形態１のデジタル複合機１の要部構成を示すブロック図である。本発明の実施の形態１のデジタル複合機１は、制御部２と、画像入力装置３と、画像出力装置５と、画像処理装置４と、通信装置６と、記憶部９と、操作装置１０とを備えており、これらハードウェアはバスＮによって接続されている。また、操作装置１０は画像表示装置８及び座標格納部７を備えている。
【００３１】
制御部２はＣＰＵ、ＲＯＭ及びＲＡＭ（図示せず）を備えている。ＲＯＭには各種の制御プログラム、サムネイル画像を生成するためのプログラム、画像の拡大のためのプログラム及びデータ等が予め格納されており、ＲＡＭは、複数のデータを記憶し、記憶順、記憶位置等に関係なく読み出すことが可能である。また、ＲＡＭは、例えば、ＲＯＭから読み出されたプログラム、該プログラムを実行することにより発生するデータ、外部から受信したデータ等を一時的に記憶する。ＲＡＭは、ＣＰＵの読出指示に応じて記憶してある各種データ等を適宜読み出す。
【００３２】
ＣＰＵは、ＲＯＭに予め格納されている制御プログラムをＲＡＭ上にロードして実行することによって前述の各種ハードウェアの制御を行い、デジタル複合機１を本発明の実施の形態１に係る画像表示装置及び画像形成装置として動作させる。
【００３３】
なお、画像入力装置３は、原稿の画像を光学的に読み取る。また、画像入力装置３は、読み取り用の原稿に光を照射する光源、例えばＣＣＤ（Charge Coupled Device）のようなイメージセンサ等を有する。画像入力装置３では、載置台にセットされた原稿からの反射光像を前記イメージセンサに結像させ、ＲＧＢ（R : Red, G : Green, B : Blue）のアナログデータを出力する。画像入力装置３が出力したアナログデータは画像処理装置４に入力される。
【００３４】
画像出力装置５は、画像処理装置４から出力されるＣＭＹＫデータの画像データに基づく画像を記録用紙、ＯＨＰフィルム等のシート上に印刷する。画像出力装置５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を用紙上に転写する転写器等を備えており、電子写真方式にて利用者が所望する画像をシート上に形成する。
【００３５】
通信装置６は、画像表示装置８に表示するサムネイル画像に係る画像データを外部から受信するネットワークカード、モデム等を備えており、例えば、前記画像データが添付されたメールを受信する。
【００３６】
記憶部９は、例えば、不揮発性の半導体メモリであり、画像入力装置３によって読み取られた画像データ、又は通信装置６を介して外部から取得した画像データと、該画像データに基づくサムネイル画像とに番号を付し、各画像データ及びサムネイル画像、並びに番号を対応させて記憶する。また、記憶部９は、後述する順序決定部８３４が受け付ける選択されたサムネイル画像の配置順を記憶する。
【００３７】
なお、本発明の実施の形態１のデジタル複合機１は計時部（図示せず）を備えており、該計時部による計時結果、及び後述する位置検出部８１による検出結果に基づき、利用者からの指示を受け付けることが出来る。
【００３８】
画像処理装置４は、例えば画像入力装置３を通じて入力されるアナログデータを基にデジタル形式の画像データを生成し、又は記憶部９に記憶されている画像データを読み出し、夫々の画像の種類に応じた処理を施した後、出力用画像データを生成する。該出力用画像データは、画像出力装置５又は通信装置６に出力される。画像入力装置３、通信装置６又は記憶部９から取得した画像データに基づく画像のサムネイル画像を生成する。
【００３９】
図２は本発明の実施の形態１のデジタル複合機１の画像処理装置４及び操作装置１０の要部構成を示す機能ブロック図である。画像処理装置４は、Ａ／Ｄ（アナログ／デジタル）変換部４０と、シェーディング補正部４１と、入力処理部４２と、領域分離処理部４８と、色補正部４４と、黒生成／下色除去部４５と、空間フィルタ部４６と、中間調生成部４７と、表示制御部４９とを備えている。
【００４０】
例えば、画像入力装置３にて読み取られた画像のアナログデータは、画像処理装置４内を、Ａ／Ｄ変換部４０、シェーディング補正部４１、入力処理部４２、領域分離処理部４８、色補正部４４、黒生成／下色除去部４５、空間フィルタ部４６、及び中間調生成部４７の順（矢印方法）で送られ、ＣＭＹＫのデジタルカラーデータとして、画像出力装置５へ出力される。
【００４１】
Ａ／Ｄ変換部４０は、画像入力装置３からのＲＧＢのアナログデータをデジタルデータに変換するものであり、シェーディング補正部４１は、Ａ／Ｄ変換部４０より送られてきたデジタルのＲＧＢデータに対して、画像入力装置３の照明系、結像系、撮像系で生じる各種の歪みを取り除く処理を施す。
【００４２】
入力処理部４２は、シェーディング補正部４１にて各種の歪みが取り除かれたＲＧＢデータ（ＲＧＢの反射率データ）夫々に対してγを補正し、カラーバランスを整えると同時に、濃度データに変換する処理を施す。
【００４３】
表示制御部４９は、画像入力装置３にて読み取られた原稿の画像データに基づくサムネイル画像を生成し、また操作装置１０（位置検出部８１）を介して受け付けた利用者の選択に係るサムネイル画像に対応する画像データを記憶部９から読み出して、該画像データに基づく画像を生成し、画像表示装置８に表示させる。
【００４４】
領域分離処理部４８は、入力処理部４２からのＲＧＢデータより、入力画像データの各画素が文字領域、網点領域、印刷紙写真領域（連続階調領域）等の何れかに分離する。領域分離処理部４８は、分離結果に基づき、画素がどの領域に属しているかを示す領域識別データを、黒生成／下色除去部４５、空間フィルタ部４６、及び中間調生成部４７へと出力する。
【００４５】
色補正部４４では、ＲＧＢデータの補正であるＣＭＹ（Ｃ：シアン・Ｍ：マゼンタ・Ｙ：イエロー）データが生成されると共に、色再現性を高めるために、不要吸収成分を含むＣＭＹ色材の分光特性に基づいた色濁りを取り除く処理を行う。
【００４６】
黒生成／下色除去部４５は、色補正後のＣＭＹの３色データから黒（Ｋ）データを生成する黒生成、元のＣＭＹデータから黒生成で得たＫデータを差し引いて新たなＣＭＹデータを生成する処理を行い、ＣＭＹの３色データがＣＭＹＫの４色データに変換される。
【００４７】
空間フィルタ部４６は、黒生成／下色除去部４５より入力されるＣＭＹＫデータの画像データに対して、領域識別データを基にデジタルフィルタによる空間フィルタ処理を行い、空間周波数特性を補正することによって出力画像のぼやけ及び粒状性劣化を防ぐ。
【００４８】
また、中間調生成部４７は、ＣＭＹＫデータの画像データに対して、領域識別データを基に例えば階調再現処理を施す。該階調再現処理が施されたＣＭＹＫデータの画像データは画像出力装置５に出力される。
【００４９】
また、操作装置１０は、デジタル複写機１における「ファックス」、「複写」、「印刷」、「メール」等の機能を切り替える機能ボタン、テンキー、受け付けた指示を確定するためのエンターキー、画像入力装置３にて読み取った原稿の画像データに基づく画像及び画像表示装置８の表示部８２に表示されたサムネイルに係る画像をシート上に画像形成するための「出力」又は「コピー」キー等を備えている。また、操作装置１０は、上述したように、画像表示装置８及び座標格納部７を備えている。
【００５０】
画像表示装置８はデジタル複写機１の状態、ジョブ処理の状況、読み取った画像のサムネイル画像、操作装置１０の操作内容の確認等、利用者に対して報知すべき情報を表示する、例えば液晶ディスプレイからなる表示部８２を備えている。また、画像表示装置８は、表示部８２の表示画面への利用者の指先の接触操作位置を検出する位置検出部８１と、位置検出部８１を介して受け付けた利用者の指示に応じて、表示部８２へのサムネイル画像の表示を制御するサムネイル表示制御部８３とを備えている。
【００５１】
位置検出部８１は、例えばタッチパネルであり、利用者の指先のタッチ操作による圧力の変化を検知し、又は静電気による電気信号を検知して、利用者の指先の接触点の表示部８２の画面上の座標を検出し、該座標を特定する信号を発生する。また、位置検出部８１は複数点の認識が可能ないわゆるマルチタッチパネルであり、複数点が指定された場合、各々の点を個別に認識することが可能である。
【００５２】
図３は本発明の実施の形態１のデジタル複合機１のサムネイル表示制御部８３の要部構成を示す機能ブロック図である。サムネイル表示制御部８３は、選択受付部８３１、範囲決定部８３２、順序変更部８３３、順序決定部８３４、拡大表示部８３５、画像生成部８３６及びサムネイル表示部８３７を備えている。
【００５３】
選択受付部８３１は、位置検出部８１を介してサムネイル画像の選択を受け付ける。利用者が指先にて所定のサムネイル画像をタッチ操作した場合、位置検出部８１はタッチ操作に係る座標を検出し、選択受付部８３１は位置検出部８１による検出結果に係る座標に対応するサムネイル画像が選択されたものとして認識する。
【００５４】
範囲決定部８３２は、選択受付部８３１が受け付けた選択に基づき、配置順を変更すべきサムネイル画像の範囲を決定する。例えば、表示部８２にサムネイル画像が所定の配置順にて一覧表示されている場合、選択受付部８３１が最初に受け付けた選択に係るサムネイル画像から、その次に受け付けた選択に係るサムネイル画像までの連続するサムネイル画像の範囲（以下、連続範囲という）を、配置順を変更すべきサムネイル画像の範囲として決定する。
【００５５】
以下、選択受付部８３１及び範囲決定部８３２の作用について説明する。図４は本発明の実施の形態１における選択受付部８３１及び範囲決定部８３２の作用を説明するための説明図である。説明の便宜上、画像入力装置３にて原稿を読み取り、読み取りの順序（以下、読取順）を配置順として原稿の画像データに基づくサムネイル画像を表示部８２に表示するものとする。
【００５６】
図４（ａ）は画像入力装置３による読込順を配置順として表示部８２に一覧表示されたサムネイル画像の一例を示す例示図である。表示部８２には複数のサムネイル画像が読込順にて番号と共に一覧表示されており、画面上右上にはサムネイル画像の配置順を変更するための「配置順変更」ソフトキーが設けられている。また、全サムネイル画像を一度に表示部８２へ表示できない場合には、スクロールボタンが画面の上下に表示される。該スクロールボタンの何れかをタッチした場合、タッチされたスクロールボタンに係る方向に画像が移動される。
一覧表示されたサムネイル画像の中、一部のサムネイル画像の順序が前後していると視認した利用者は、それらの配置順を変更するために、前記「配置順変更」ソフトキーをタッチして配置順変更モードに設定する。その後、配置順を変更すべきサムネイル画像を含む前記連続範囲を指定するために、２つのサムネイル画像を選択する。
【００５７】
まず、利用者は配置順を変更すべきサムネイル画像のうち一番低い番号（３番）のサムネイル画像をタッチして選択する（図４（ｂ））。斯かる場合、選択受付部８３１は位置検出部８１を介して当該サムネイル画像の選択を受け付け、例えば選択されたサムネイル画像に色を付けて表示することにより、被選択サムネイル画像である旨を表す。次いで、利用者は配置順を変更すべきサムネイル画像のうち一番高い番号（７番）のサムネイル画像をタッチして選択する（図４（ｃ））。斯かる場合、選択受付部８３１は位置検出部８１を介して当該サムネイル画像の選択を受け付け、例えば選択されたサムネイル画像に色を付けて表示することにより、被選択サムネイル画像である旨を表す。
【００５８】
このように、２つのサムネイル画像の選択が終了した場合、範囲決定部８３２は配置順を変更すべきサムネイル画像の前記連続範囲を決定する。すなわち、範囲決定部８３２は、前記一番低い番号（３番）のサムネイル画像から、前記一番高い番号（７番）のサムネイル画像までのサムネイル画像を、配置順を変更すべきサムネイル画像の連続範囲として決定する。斯かる場合、範囲決定部８３２は、前記連続範囲の全てのサムネイル画像に色を付けて、被選択サムネイル画像である旨を表す（図４（ｄ））。
【００５９】
なお、本発明の実施の形態１のデジタル複合機１は上述した構成に限るものでない。例えば、所定のタイミングにて前記「配置順変更」ソフトキーをタッチして配置順変更モードに設定することによって、表示部８２に表示されるサムネイル画像の一覧表示を利用者が調整できるように構成しても良い。
【００６０】
詳しくは、画像入力装置３による原稿の読取の完了の順に該原稿の画像データに基づくサムネイル画像を作成して表示する場合、所定のサムネイル画像の表示中に、前記「配置順変更」ソフトキーをタッチしたときは、前記一覧表示において前記所定のサムネイル画像が配置順における中間に位置されるように構成しても良い。
【００６１】
図５は本発明の実施の形態１のデジタル複合機１における他の構成例を説明する説明図である。例えば、原稿の読取の完了の順次に該原稿の画像データに基づくサムネイル画像が表示される途中、「Ｉ」のサムネイル画像が表示されるときに利用者が前記「配置順変更」ソフトキーをタッチしたとする（図５（ａ））。この場合、前記読取が全て完了した後の、配置順変更モードにおけるサムネイル画像の一覧表示は、前記「Ｉ」のサムネイル画像が中間（４番）に位置するように行われる（図５（ｂ））。
【００６２】
順序決定部８３４は、選択受付部８３１が受け付けた選択の順に基づき、選択されたサムネイル画像の前記連続範囲における表示すべき配置順を決定する。図６は本発明の実施の形態１における順序決定部８３４の作用を説明するための説明図である。
【００６３】
例えば、上述したように、配置順を変更すべきサムネイル画像の前記連続範囲の指定が終了した場合、利用者は、希望する新しい配置順に、前記連続範囲のサムネイル画像をタッチすることにより選択する。図６の例においては、利用者はアルファベット順に沿って配置順を変更することを希望し、最初に３番のサムネイル画像をタッチして選択し（図６（ａ））、次に６番、４番、７番、５番、２番の順に夫々のサムネイル画像をタッチして選択する。選択受付部８３１は、夫々のサムネイル画像の選択を受け付ける際、当該サムネイル画像に付けられている色を変更又は色の濃淡を変える等の処理を行う（図６（ｂ））。なお、順序決定部８３４は、この際における、選択受付部８３１が受け付けた選択の順を、選択されたサムネイル画像の前記連続範囲における配置順として、すなわち、変更すべき新しい配置順（以下、新配置順）として決定し、当該選択に係るサムネイル画像（又は番号）と関連づけて記憶部９に記憶する。この後、利用者は図６（ｂ）に示すように、画面上の右上に設けられた「反映」ソフトキーをタッチすることにより、前記新配置順に従う、前記連続範囲のサムネイル画像の配置順変更を指示する。
【００６４】
また、以上のように、利用者が希望する新しい配置順に、前記連続範囲のサムネイル画像をタッチして選択する構成に限るものでない。例えば、前記連続範囲の一部のサムネイル画像に対しては配置順を変更しない場合は、利用者がこれらのサムネイル画像を指先でなぞる（又はスライド）操作を行うことにより、これらの配置順を維持する指示を受け付けるように構成しても良い。
【００６５】
図７は本発明の実施の形態１のデジタル複合機１における他の構成例を説明する説明図である。図７に示す例において、「Ｅ」「Ｆ」及び「Ｇ」のサムネイル画像の配置順を維持する場合、利用者は、図中矢印のように、これらのサムネイル画像上を指先でスライドする。このようなスライド操作に係る表示部８２の表示画面上の座標変化を位置検出部８１が検出した場合、その後における配置順変更の処理において、位置検出部８１の検出結果に基づき、前記スライド操作に係るサムネイル画像の配置順を変えず、そのまま維持するように構成する。
【００６６】
なお、利用者の誤操作によって選択されたサムネイル画像は、再度当該サムネイル画像をタッチする操作により、その選択を解除するように構成しても良い。
【００６７】
図８は本発明の実施の形態１のデジタル複合機１における他の構成例を説明する説明図である。図８（ａ）に示すように、「Ｂ」、「Ｃ」及び「Ｄ」のサムネイル画像のみが既に選択されている場合において、利用者が「Ｃ」のサムネイル画像を再度タッチする操作を行い、該操作を位置検出部８１が検出した場合は、選択受付部８３１は「Ｃ」のサムネイル画像の選択を解除するように構成する（図８（ｂ））。
【００６８】
また、このような選択されたサムネイル画像の選択解除に係る構成においても、上述したように、利用者が既に選択された複数のサムネイル画像を指先でなぞる（又はスライド）操作を行うことにより、これらの選択が解除されるように構成しても良い。
【００６９】
順序変更部８３３は、順序決定部８３４が決定した配置順に基づき、選択されたサムネイル画像の前記連続範囲における配置順を更新する。例えば、利用者が前記「反映」ソフトキーをタッチした場合、順序変更部８３３が記憶部９から前記新配置順を読出し、該新配置順に従って、前記連続範囲のサムネイル画像の配置順を変更する。上述の図６（ｂ）の例において、利用者により前記「反映」ソフトキーがタッチされた場合は、順序変更部８３３によって、前記新配置順に従う前記連続範囲のサムネイル画像の配置順の変更が行われ、図９に示すように、利用者が希望するアルファベット順に沿う表示が行われる。その後、利用者が「ＯＫ」キー（図９参照）を操作することによって、新たに番号が付される。なお、この後、利用者が操作装置１０の「出力」キーを操作し、シート上への画像形成を指示した場合、画像出力装置５は、表示部８２に表示された配置順に、各サムネイル画像に対応する画像の画像形成（出力）を行う。
【００７０】
また、前記連続範囲のサムネイル画像の中、一部のサムネイル画像に対してのみ選択が行われ、前記一部のサムネイル画像に対してのみ新配置順の指定を受け付けている状態で、利用者が前記「反映」ソフトキーをタッチした場合は、選択された前記一部のサムネイル画像に対してのみ、前記新配置順に従う配置順変更の処理を行い、他のサムネイル画像に対しては配置順を変えず、前記一部のサムネイル画像の後に配置して表示するように構成しても良い。
【００７１】
図１０は本発明の実施の形態１のデジタル複合機１における他の構成例を説明する説明図である。利用者は、前記連続範囲のサムネイル画像の中、「Ｅ」、「Ｃ」、「Ｄ」のサムネイル画像のみをこの記載順に選択した後、前記「反映」ソフトキーをタッチする（図１０（ａ））。この場合、位置検出部８１がタッチ操作位置の座標を検出し、該検出結果に基づき、順序変更部８３３が該新配置順に従って、「Ｅ」、「Ｃ」、「Ｄ」のサムネイル画像の配置順を変更し、他の「Ｂ」「Ｆ」「Ｇ」のサムネイル画像に対しては配置順を変更せず、配置順変更の処理前と同じ配置順にて「Ｅ」、「Ｃ」、「Ｄ」のサムネイル画像の後に付けて表示する（図１０（ｂ））。
【００７２】
拡大表示部８３５は、前記連続範囲の所定のサムネイル画像を拡大して部分的に表示する。図１１は本発明の実施の形態１における拡大表示部８３５の作用を説明するための説明図である。例えば、前記配置順変更モードで、そのままのサムネイル画像の大きさでは確認できない等の理由により、利用者が一覧表示された複数のサムネイル画像の内、何れかのサムネイル画像を拡大する場合、希望するサムネイル画像を所定時間以上、長くタッチする（図１１（ａ））。拡大表示部８３５は位置検出部８１による検出結果及び前記計時部による計時結果に基づき、所定時間以上タッチが行われた場合、当該サムネイル画像を拡大して、該サムネイル画像の拡大画面のみを、表示部８２の所定の大きさ（ピクセル）の枠内に表示する。この場合、拡大されたサムネイル画像の画像は大きいので、拡大されたサムネイル画像の拡大画像の全てを前記枠内に表示さず、拡大表示部８３５は拡大されたサムネイルの拡大画像の内、一部のみを適宜前記枠内に表示する。
【００７３】
例えば、利用者が視認を希望する所定の部分が前記枠内に表示されていない場合、利用者は前記所定の部分と反対方向に指先を適宜スライド（矢印方向）させる（図１１（ｂ））。この際、位置検出部８１が指先のスライドに係る方向、距離等に係る表示部８２の表示画面上の座標を検出し、拡大表示部８３５は斯かる位置検出部８１の検出結果に基づき、前記所定の部分を前記枠の中心に表示させる（図１１（ｃ））。すなわち、拡大表示部８３５は所定のサムネイル画像を拡大して部分的に表示する。
【００７４】
画像生成部８３６は、位置検出部８１による検出結果に基づき、拡大表示部８３５により拡大した画像（以下、部分拡大画像）に対応するサムネイル画像を生成する。例えば、利用者が希望する所定の部分を視認するために指先をスライドさせる操作を行い、前記所定の部分を前記枠の中心に表示させて視認した後、指先を表示部８２の画面から離した場合、位置検出部８１がそれを検出する。画像生成部８３６は斯かる位置検出部８１の検出結果に基づき、前記指先を離したときの部分拡大画像に対応するサムネイル画像の生成を画像処理装置４に指示する。なお、この際、表示部８２の表示は、複数のサムネイル画像の一覧表示に戻る。
【００７５】
サムネイル表示部８３７は、画像生成部８３６の指示に応じて、画像処理装置４が生成した部分拡大画像に対応するサムネイル画像を、拡大処理前のサムネイル画像（図１１（ａ）の３番のサムネイル画像）に代えて表示する（図１１（ｄ））。
【００７６】
座標格納部７は、位置検出部８１からの信号に基づき、表示部８２の画面上での利用者の指先の接触点の座標を記憶する。例えば、タッチパネル８１をタッチした場合のタッチ点の座標、利用者がいわゆるスライド操作を行った場合のスライド開始点及び離接点の座標等を記憶する。
【００７７】
図１２は本発明の実施の形態１における、部分拡大画像の表示の処理を説明するフローチャートである。
例えば、前記配置順変更モードにおける複数のサムネイル画像の一覧表示状態において、サムネイル画像の大きさでは確認できないので、利用者が一覧表示された複数のサムネイル画像の内、何れかのサムネイル画像を拡大する場合、拡大を希望するサムネイル画像を所定時間以上、長くタッチする。
【００７８】
この場合、制御部２のＣＰＵは、位置検出部８１による検出結果及び前記計時部による計時結果に基づき、タッチされたサムネイル画像を拡大して表示する指示を受け付ける（ステップＳ１０１）。ＣＰＵは拡大表示部８３５にタッチされたサムネイル画像の拡大を指示する。
【００７９】
拡大表示部８３５は、ＣＰＵの指示に応じてタッチされたサムネイル画像を拡大して、該サムネイル画像の拡大画面のみを、表示部８２の所定の大きさ（ピクセル）の枠内に表示する（ステップＳ１０２）。
【００８０】
ＣＰＵは、位置検出部８１を監視してその検出結果に基づき、利用者による指先のスライド操作が行われたか否かを判定する（ステップＳ１０３）。ＣＰＵがスライド操作が行われていないと判定した場合（ステップＳ１０３：ＮＯ）、処理はステップＳ１０５に進む。
【００８１】
一方、ＣＰＵはスライド操作が行われたと判定した場合（ステップＳ１０３：ＹＥＳ）、拡大表示部８３５に指示することにより、前記スライド操作に応じた、拡大されたサムネイル画像の拡大画像の部分（部分拡大画像）の表示を行う（ステップＳ１０４）。ＣＰＵの指示に応じて、拡大表示部８３５は位置検出部８１の検出結果に基づき、部分拡大画像を表示部８２の前記枠内に表示する。部分拡大画像の表示に係る詳しい説明は上述しており、省略する。
【００８２】
次いで、ＣＰＵは、位置検出部８１を監視してその検出結果に基づき、利用者の指先が表示部８２の画面から離隔したか否かを判定する（ステップＳ１０５）。ＣＰＵが位置検出部８１による検出結果に基づき、表示部８２の表示画面から利用者の指先が離隔していないと判定した場合（ステップＳ１０５：ＮＯ）、処理はステップＳ１０３に再び戻る。
【００８３】
一方、ＣＰＵが位置検出部８１による検出結果に基づき、表示部８２の画面から利用者の指先が離隔したと判定した場合（ステップＳ１０５：ＹＥＳ）、画像生成部８３６に指示することにより、指先が離隔したときにて表示されていた部分拡大画像に対応するサムネイル画像を生成する（ステップＳ１０６）。
【００８４】
この後、表示部８２の表示は複数のサムネイル画像の一覧表示状態に戻り、サムネイル表示部８３７は、ステップＳ１０６にて生成した部分拡大画像に対応するサムネイル画像を、拡大処理前のサムネイル画像の代わりに表示部８２に表示する（ステップＳ１０７）。
【００８５】
以下、本発明の実施の形態１における、サムネイル画像の配置順変更の処理を説明する。
図１３は本発明の実施の形態１における、配置順変更の処理を説明するフローチャートである。説明の便宜上、読み取った複数枚の原稿の画像データに基づき、表示部８２に表示されたサムネイル画像の配置順を利用者が一部変更して、前記画像データに基づく画像の形成を行う場合を例として説明する。
【００８６】
まず、利用者は複数枚の原稿を画像入力装置３の原稿台に載置し、操作パネル１０の「コピー」キーを操作して前記原稿の読み取りを指示する。制御部２のＣＰＵは操作パネル１０を介して読み取りの指示を受け付け、画像入力装置３に指示して前記原稿の画像の読み取りを行う（ステップＳ２０１）。ＣＰＵは、このように画像入力装置３によって取得された前記原稿の画像データに番号を付して記憶部９に記憶する。
【００８７】
ＣＰＵは前記複数枚の原稿に係るサムネイル画像の生成を画像処理装置４に指示する。画像処理装置４によって生成されたサムネイル画像は当該画像データ及び番号に関連付けられ、記憶部９に記憶される。
【００８８】
次いで、ＣＰＵは記憶部９に記憶されているサムネイル画像及び番号を読み出し、表示部８２に、前記サムネイル画像の一覧を所定の配置順（例えば、読込順）にて表示する（ステップＳ２０２）。（図４（ａ）参照）
【００８９】
例えば、利用者は一覧表示されたサムネイル画像の中、一部のサムネイル画像の順序が前後していると判断した場合、これらの配置順を変更するために、前記「配置順変更」ソフトキーをタッチする。
【００９０】
斯かる場合、位置検出部８１は、利用者によるタッチ操作位置に係る座標を検出し、該検出結果に基づき、ＣＰＵは配置順変更モードに設定する（ステップＳ２０３）。
【００９１】
その後、利用者は配置順を変更すべきサムネイル画像を含む前記連続範囲を指定するために、２つのサムネイル画像を選択する。この際、選択受付部８３１は位置検出部８１を介して２つのサムネイル画像の選択を受け付ける（ステップＳ２０４）。このような、前記連続範囲の指定を受け付ける際における、２つのサムネイル画像の選択の受け付けに対しては、上述しており、詳しい説明を省略する。（図４（ｂ）、（ｃ）参照）
【００９２】
次いで、範囲決定部８３２は、選択受付部８３１が受け付けた２つのサムネイル画像の選択に基づき、配置順を変更すべきサムネイル画像の範囲（連続範囲）を決定する（ステップＳ２０５）。詳しくは、前記サムネイル画像の一覧の中、選択受付部８３１が最初に受け付けた選択に係るサムネイル画像から、その次に受け付けた選択に係るサムネイル画像までのサムネイル画像の範囲を、範囲決定部８３２が前記連続範囲として決定する。また、この場合、範囲決定部８３２は、前記連続範囲の全てのサムネイル画像に色を付けて表示し、被選択サムネイル画像である旨を表す（図４（ｄ））。
【００９３】
前記連続範囲の指定が終了した場合、配置順を変更すべき前記連続範囲のサムネイル画像を、利用者が希望する新しい配置順にタッチして選択する。この際、順序決定部８３４は、選択受付部８３１が受け付けた選択の順に基づき、選択されたサムネイル画像の前記連続範囲における新配置順を決定する（ステップＳ２０６）。また、決定した新配置順は記憶部９に記憶される。斯かる新配置順を決定する処理については、上述しており、詳しい説明を省略する（図６参照）。
【００９４】
この後、利用者は、例えば、図６の「反映」ソフトキーをタッチすることにより、前記新配置順に従う、前記連続範囲のサムネイル画像の配置順変更を指示し、位置検出部８１により前記タッチ操作に係る座標が検出される。
【００９５】
順序変更部８３３は位置検出部８１の検出結果に基づき、記憶部９から前記新配置順を読出し、該新配置順に従って、前記連続範囲のサムネイル画像の配置順を変更する（ステップＳ２０７）。上述の図６（ｂ）の例においては、利用者により前記「反映」ソフトキーがタッチされた場合、順序変更部８３３によって、前記新配置順に従う前記連続範囲のサムネイル画像の配置順の変更が行われ、図９に示すように、利用者が希望するアルファベット順に沿う表示が行われる。その後、利用者が前記「ＯＫ」キーを操作することによって、新たに番号が付される。
【００９６】
次いで、ＣＰＵは、例えば、前記変更の後におけるサムネイル画像の配置順にて、画像を出力（印刷）することを確認する旨の指示を受け付ける。例えば、利用者が図９に示す例における「ＯＫ」キーを操作することにより、利用者から確認を得た場合、ＣＰＵは画像出力装置５に指示することにより、表示部８２に表示されたサムネイル画像の配置順に、各サムネイル画像に対応する画像の形成を行う（ステップＳ２０８）。
【００９７】
（実施の形態２）
図１４は本発明の実施の形態２のデジタル複合機１のサムネイル表示制御部８３の要部構成を示す機能ブロック図である。本発明の実施の形態２のデジタル複合機１は実施の形態１のデジタル複合機１と同様の構成であるが、反復指示受付部８３８を更に備えている。
【００９８】
反復指示受付部８３８は、前記連続範囲の一部のサムネイル画像に対して行った配置順変更と同じ配置順変更を、残余のサムネイル画像に対して反復して行う指示を受け付ける。詳しくは、利用者が前記連続範囲の中、一部のサムネイル画像に対してのみ特定のタッチ操作を行った場合、反復指示受付部８３８は、前記タッチ操作に係る一部のサムネイル画像に対して現配置順を逆順にする指示である上に、該連続範囲の一部のサムネイル画像に対して行った配置順変更と同じ配置順変更を、残余のサムネイル画像に対しても同一の周期にて反復して行う指示であるとして受け付ける。なお、反復指示受付部８３８が前記指示を受け付けた場合、順序変更部８３３は、前記一部のサムネイル画像に対して現配置順を逆順にする配置順変更を行い、残余のサムネイル画像に対しても該配置順変更を反復して行う。
【００９９】
図１５は本発明の実施の形態２における反復指示受付部８３８の作用を説明するための説明図である。説明の便宜上、順序が前後する２つのサムネイル画像の配置順を正しく変更する場合を例として説明する。図１５の例においては、「Ｂ」及び「Ｃ」、「Ｄ」及び「Ｅ」、並びに「Ｆ」及び「Ｇ」のサムネイル画像が、夫々順序が前後しており、これを逆順にするものとする。
【０１００】
実施の形態１の記載と同様にして、２つのサムネイル画像の選択が終了した場合に、範囲決定部８３２は配置順を変更すべきサムネイル画像の前記連続範囲の決定を行い、例えば、該連続範囲の全てのサムネイル画像に色を付けて表示し、被選択サムネイル画像である旨を表す（図４（ｄ）参照）。
【０１０１】
次いで、利用者は前記連続範囲の一部、すなわち前記連続範囲の中、逆順にすべきサムネイル画像の範囲を選択する。利用者は一方（片手）の指で、逆順にすべきサムネイル画像の範囲の中の最先のサムネイル画像（「Ｂ」）をタッチし、接触の状態を維持したまま、他方（片手）の指で、逆順にすべきサムネイル画像の範囲の中の最後のサムネイル画像（「Ｃ」）をタッチする（図１５（ａ）参照）。その後、利用者は最後のサムネイル画像（「Ｃ」）をタッチしている他方の指を、接触状態を維持したまま、図１５（ｂ）に示すように回転させる操作を行う。
【０１０２】
利用者によりこのような操作が行われた場合、選択受付部８３１が受け付けた選択に基づき、反復指示受付部８３８は、「Ｂ」サムネイル画像から「Ｃ」サムネイル画像までのサムネイル画像の現配置順を逆順にする配置順変更を行う上に、該配置順変更を残余のサムネイル画像（すなわち、「Ｄ」、「Ｅ」、「Ｆ」、「Ｇ」のサムネイル画像）に対しても同一の周期にて行う反復指示として受け付ける。
【０１０３】
反復指示受付部８３８は前記反復指示を受け付けた場合、前記連続範囲の全サムネイル画像に付けられている色の濃淡を変えて表示し、被選択サムネイル画像である旨を表す（図１５（ｃ）参照）。
【０１０４】
次いで、利用者は「反映」ソフトキーをタッチし、順序変更部８３３は、前記一部のサムネイル画像（「Ｂ」及び「Ｃ」のサムネイル画像）に対して現配置順を逆順にする配置順変更を行い、残余のサムネイル画像（「Ｄ」、「Ｅ」、「Ｆ」、「Ｇ」のサムネイル画像）に対しても同一の周期にて（「Ｄ」及び「Ｅ」、並びに「Ｆ」及び「Ｇ」）現配置順を逆順にする配置順変更を反復して行う。
【０１０５】
斯かる結果を図１５（ｄ）に示す。「Ｂ」及び「Ｃ」、「Ｄ」及び「Ｅ」、並びに「Ｆ」及び「Ｇ」のサムネイル画像が、夫々当該配置順変更の前の配置順を逆順にする配置順にして表示部８２に表示されていることが見て取れる。
【０１０６】
以下、本発明の実施の形態２における、サムネイル画像の配置順変更の処理を説明する。
図１６は本発明の実施の形態２における、配置順変更の処理を説明するフローチャートである。説明の便宜上、利用者が複数枚の原稿の画像データを読み取り、表示部８２に表示されたサムネイル画像の配置順を一部変更して、前記画像データに基づく画像の形成を行う場合を例として説明する。
【０１０７】
まず、利用者は複数枚の原稿を画像入力装置３の原稿台に載置し、操作パネル１０の「コピー」キーを操作して前記原稿の読み取りを指示する。制御部２のＣＰＵは操作パネル１０を介して読み取りの指示を受け付け、画像入力装置３に指示して前記原稿の画像の読み取りを行う（ステップＳ３０１）。ＣＰＵは、このように画像入力装置３によって取得された前記原稿の画像データに番号を付して記憶部９に記憶する。ＣＰＵは前記複数枚の原稿に係るサムネイル画像の生成を画像処理装置４に指示し、画像処理装置４によって生成されたサムネイル画像は当該画像データ及び番号に関連付けられ、記憶部９に記憶される。
【０１０８】
次いで、ＣＰＵは記憶部９に記憶されているサムネイル画像及び番号を読み出し、表示部８２に、前記サムネイル画像の一覧を所定の配置順（例えば、読込順）にて表示する（ステップＳ３０２）。
【０１０９】
例えば、利用者は一覧表示されたサムネイル画像の中、一部のサムネイル画像の順序が前後しており、更にこれが反復されていると判断した場合、これらの配置順を変更するために、前記「配置順変更」ソフトキーをタッチする。以下においては、説明の便宜上、図１５（ａ）に示すようなサムネイル画像の一覧の中、「Ｂ」及び「Ｃ」、「Ｄ」及び「Ｅ」、「Ｆ」及び「Ｇ」を夫々前後させるものとする。
【０１１０】
利用者が前記「配置順変更」ソフトキーをタッチした場合、位置検出部８１は、利用者によるタッチ操作位置に係る座標を検出し、該検出結果に基づき、ＣＰＵは配置順変更モードに設定する（ステップＳ３０３）。
【０１１１】
その後、利用者は配置順を変更すべきサムネイル画像を含む前記連続範囲を指定するために、２つのサムネイル画像を選択する。この際、選択受付部８３１は位置検出部８１を介して２つのサムネイル画像の選択を受け付ける（ステップＳ３０４）。
【０１１２】
次いで、範囲決定部８３２は、選択受付部８３１が受け付けた２つのサムネイル画像の選択に基づき、配置順を変更すべきサムネイル画像の範囲（連続範囲）を決定する（ステップＳ３０５）。連続範囲の指定の受け付けについては、上述しており、詳しい説明を省略する（ステップＳ２０５及び図４（ｄ）参照）。この場合、範囲決定部８３２は、前記連続範囲の全てのサムネイル画像に色を付けて、被選択サムネイル画像である旨を表す。
【０１１３】
前記連続範囲の指定が終了した場合、利用者は前記連続範囲の一部、すなわち前記連続範囲の中、逆順にすべきサムネイル画像の範囲を選択する。上述したように、利用者は一方の指で、逆順にすべきサムネイル画像の範囲の中の最先のサムネイル画像をタッチし、前記一方の指の接触の状態を維持したまま、他方の指で、逆順にすべきサムネイル画像の範囲の中の最後のサムネイル画像をタッチする（図１５（ａ）参照）。その後、利用者は最後のサムネイル画像をタッチしている他方の指を、接触状態を維持したまま、円を描くように回転させる操作を行う（図１５（ｂ）参照）。
【０１１４】
また、前記連続範囲の全サムネイル画像の現配置順を逆順にする場合は、上述したような手法にて、前記連続範囲の中、最先のサムネイル画像及び最後のサムネイル画像を選択した後、該最後のサムネイル画像に対して円を描くように指を回転させる操作を行う。なお、前記連続範囲の全サムネイル画像の現配置順を逆順にするために、所定のキーを設けても良い。
【０１１５】
利用者によりこのような操作が行われた場合、反復指示受付部８３８は、選択受付部８３１が受け付けた選択に基づき、前記最先のサムネイル画像から、前記最後のサムネイル画像までのサムネイル画像の現配置順を逆順にする配置順変更を行う上に、該配置順変更を残余のサムネイル画像に対しても同一の周期にて行う反復指示を受け付ける（ステップＳ３０６）。また、この際、前記最先のサムネイル画像から、前記最後のサムネイル画像までのサムネイル画像の数、換言すれば、反復して配置順変更を行うべき周期（以下、反復周期と言う）は、選択受付部８３１による選択受付の結果に基づき、記憶部９に記憶される。
【０１１６】
反復指示受付部８３８は前記反復指示を受け付けた場合、選択受付部８３１は前記連続範囲の全サムネイル画像の選択を受け付けたものとして認識し、前記全サムネイル画像は、ステップＳ３０５にて付けられた色の濃淡を変えて表示される（ステップＳ３０７）。
【０１１７】
次いで、利用者は「反映」ソフトキーをタッチし、順序変更部８３３は、前記最先のサムネイル画像から前記最後のサムネイル画像までのサムネイル画像に対して現配置順を逆順にする配置順変更を行い、残余のサムネイル画像に対しても、記憶部９に記憶されている反復周期に基づき、現配置順を逆順にする配置順変更を同一の周期にて反復して行い（ステップＳ３０８）、その結果が表示部８２に表示される（図１５（ｄ）参照）。
【０１１８】
前記連続範囲の最後のサムネイル画像が前記反復周期に合わない場合は、前記連続範囲内で現配置順を逆順にする配置順変更を行う。
【０１１９】
例えば、利用者が図１５（ｄ）に示す「ＯＫ」ソフトキーを操作した場合、ＣＰＵは画像出力装置５に指示することにより、表示部８２に表示されたサムネイル画像の配置順に、各サムネイル画像に対応する画像のシート上への形成を行う（ステップＳ３０９）。
【０１２０】
なお、実施の形態２に係る発明は、以上の構成に限るものでない。例えば、現配置順を逆順にする配置順変更を反復して行うための特定モードを設けておき、該特定モードで一方（片手）の指で前記最先のサムネイル画像及び最後のサムネイル画像を順次選択することにより、両手を用いる上述の場合と同様の効果を奏するように構成してもよい。
【０１２１】
実施の形態１と同様の部分については、同一の符号を付して詳細な説明を省略する。
【０１２２】
（実施の形態３）
図１７は本発明の実施の形態３のデジタル複合機１の要部構成を示す機能ブロック図である。実施の形態３のデジタル複合機１は、動作を行うためのプログラムが、通信ＩＦ１１を介してＣＤ‐ＲＯＭ等の記録媒体の可搬型記録媒体Ａで提供することも可能であるように構成されている。更に、実施の形態３のデジタル複合機１は、前記コンピュータプログラムを、図示しない外部装置から通信ＩＦ１１を介してダウンロードすることも可能であるように構成されている。以下に、その内容を説明する。
【０１２３】
実施の形態３のデジタル複合機１は外装（又は内装）の記録媒体読み取り装置（図示せず）を備えており、該記録媒体読み取り装置に、表示部の表示画面への接触操作位置を検出する検出手段による検出結果に基づき、サムネイル画像の選択を受付させ、受け付けた選択に基づき、配置順を変更すべきサムネイル画像の連続範囲を決定させ、受け付けた選択の順に基づき、該選択に係るサムネイル画像の配置順を変更させるプログラム等が記録された可搬型記録媒体Ａを挿入して、例えば記憶部９にこのプログラムをインストールする。かかるプログラムはＲＡＭにロードして実行される。これにより、実施の形態３の本発明のデジタル複合機１として機能する。
【０１２４】
前記記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１２５】
いずれの場合においても、格納されているプログラムコードはＣＰＵがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１２６】
ここで、上記プログラムメディアは、本体と分離可能に構成される記録媒体であり、磁気テープ又はカセットテープ等のテープ系、フレキシブルディスク又はハードディスク等の磁気ディスク又はＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically  Erasable  Programmable  Read  Only  Memory）、フラッシュＲＯＭ等による半導体メモリを含めた固定的にプログラムコードを担持する媒体であっても良い。
【０１２７】
実施の形態１と同様の部分については、同一の符号を付して詳細な説明を省略する。
【符号の説明】
【０１２８】
１  デジタル複合機
５  画像出力装置（画像形成手段）
９  記憶部
８１  位置検出部
８２  表示部
８３  サムネイル表示制御部
８３１  選択受付部
８３２  範囲決定部
８３３  順序変更部
８３４  順序決定部
８３５  拡大表示部
８３６  画像生成部
８３７  サムネイル表示部
８３８  反復指示受付部
【図１】
2011164923.tif 000003
【図２】
2011164923.tif 000004
【図３】
2011164923.tif 000005
【図４】
2011164923.tif 000006
【図５】
2011164923.tif 000007
【図６】
2011164923.tif 000008
【図７】
2011164923.tif 000009
【図８】
2011164923.tif 000010
【図９】
2011164923.tif 000011
【図１０】
2011164923.tif 000012
【図１１】
2011164923.tif 000013
【図１２】
2011164923.tif 000014
【図１３】
2011164923.tif 000015
【図１４】
2011164923.tif 000016
【図１５】
2011164923.tif 000017
【図１６】
2011164923.tif 000018
【図１７】
2011164923.tif 000019